(57)【要約】【課題】門扉と門柱間の隙間の調整量が十分で、隙間の調整をしても門柱と門扉枠の位置が前後にずれるという問題が発生しない門扉ヒンジを提供する。【解決手段】門扉ヒンジ部材はひじつぼ側面に長孔が設けられた取付板が設けられ、この長孔を貫通する固定部材により門扉枠に取り付けられており、門柱ヒンジ部材は長孔の設けられた取付板と前記ひじつぼが取付ボルトを軸として回転しうる程度の間隔をおいて上下に相対する支持片が設けられ、門柱ヒンジ部材は取付板の長孔を貫通する固定部材により門柱に取り付けられており、前記支持片間にひじつぼが挿入され、支持片とひじつぼにヒンジ芯棒が挿通されてなるものであり、門扉ヒンジ部材と門柱ヒンジ部材の夫々に設けられた取付板の長孔の位置を調整して固定部材により門柱と門扉枠に取り付ければ、一方だけの調整に較べてほぼ２倍の調整量がえられる。【選択図】        図１
2004308158.tif 000002
【特許請求の範囲】
【請求項１】
門柱に取付けられた門柱ヒンジ部材と門扉枠に取付けられた門扉ヒンジ部材とが回動可能に軸着されてなり、門扉ヒンジ部材はひじつぼ側面に取付板が設けられ、この取付板に長孔が設けられ、この長孔を貫通する固定部材により門扉枠に取り付けられており、門柱ヒンジ部材は長孔の設けられた取付板と前記ひじつぼが取付ボルトを軸として回転しうる程度の間隔をおいて上下に相対する支持片が設けられ、門柱ヒンジ部材は取付板の長孔を貫通する固定部材により門柱に取り付けられており、前記支持片間にひじつぼが挿入され、支持片とひじつぼにヒンジ芯棒が挿通されてなる門扉ヒンジ。
【発明の詳細な説明】
【０００１】
【発明の属する技術分野】
本発明は、主として連続して地表に立設される線格子フェンス等のフェンスの一部を開閉可能とするための門扉を門柱に取付ける場合の門扉ヒンジに関するものである。
【０００２】
【従来の技術】
【特許文献１】特開平６−２８０４６３号公報
従来、この種の門扉ヒンジは、例えば図３、図４の如く、門柱側ヒンジ部材６１の取付片６２が門柱６の正面に当接され、取付片６２の長孔６４からボルト６５が門柱６に貫通され、ボルト端部に袋ナット６６が螺合されることにより取付片６２が門柱６に取付けられ、一方、ひじつぼとなされた門扉側ヒンジ部材７１が門扉枠７に取付けられ、門柱側ヒンジ部材６１のひじつぼ６３上に門扉側ヒンジ部材７１が載せられてヒンジ芯棒５が挿通されている。又、門柱側ヒンジ部材６１はボルト６５、袋ナット６６を仮止め状態として取付片６２が長孔６４をガイドとして水平方向に摺動されることによりひじつぼ６３の水平方向の位置の微調整が可能となされている。又、本出願人は特開平６−２８０４６３号に於いて、前記の問題を解決するため、門柱に取付けられた可動ヒンジ部材と門扉枠に取付けられた固定ヒンジ部材とが軸着されてなり、可動ヒンジ部材はひじつぼ側面に取付ボルトが突設され、門柱側面に挿入された取付ボルト基端側に位置決めナット、先端側に固定ナットがそれぞれ螺合されて両ナットにより門柱側面を挟んで取付けられ、位置決めナットの螺合位置によってひじつぼの水平方向の位置が調整可能となされ、固定ヒンジ部材は上記ひじつぼが取付ボルトを軸として回転しうる程度の間隔をおいて上下に相対する支持片を備えており、支持片間にひじつぼが挿入され、支持片とひじつぼにヒンジ芯棒が挿通されてなる門扉ヒンジを提案している。
【０００３】
【発明が解決しようとする課題】
しかしながら上記した特開平６−２８０４６３号に於いて提案した方法に於いても門扉と門柱間の隙間の調整量が不足しており、門柱や門扉枠に丸形の管体を使用したときに門柱ヒンジ部材のみを支柱に対して位置を変えると、門柱と門扉枠の位置が前後にずれるという問題があった。
【０００４】
そこで本発明者は従来の欠点に鑑み鋭意研究の結果、門扉と門柱間の隙間の調整量が十分で、隙間の調整をしても門柱と門扉枠の位置が前後にずれるという問題が発生しない門扉ヒンジを提供するものである。
【０００５】
【課題を解決するための手段】
本発明門扉ヒンジは、門柱に取付けられた門柱ヒンジ部材と門扉枠に取付けられた門扉ヒンジ部材とが回動可能に軸着されてなり、門扉ヒンジ部材はひじつぼ側面に取付板が設けられ、この取付板に長孔が設けられ、この長孔を貫通する固定部材により門扉枠に取り付けられており、門柱ヒンジ部材は長孔の設けられた取付板と前記ひじつぼが取付ボルトを軸として回転しうる程度の間隔をおいて上下に相対する支持片が設けられ、門柱ヒンジ部材は取付板の長孔を貫通する固定部材により門柱に取り付けられており、前記支持片間にひじつぼが挿入され、支持片とひじつぼにヒンジ芯棒が挿通されてなるものであり、門扉ヒンジ部材と門柱ヒンジ部材の夫々に設けられた取付板の長孔の位置を調整して固定部材により門柱と門扉枠に取り付ければ、一方だけの調整に較べてほぼ２倍の調整量がえられるし、両方の調整量を同じにすることにより、門柱と門扉枠の前後の位置がずれることがない。本発明における固定部材としては、ボルトやリベットなどが適宜用いられる。
【０００６】
【発明の実施の形態】
以下、図面を参照しながら本発明に付いて説明する。
図１は本発明門扉ヒンジの実施形態の一例を示す（イ）は正面図であり、（ロ）は平面図である。
図に置いて、１は門柱であり、この門柱１の側壁には門扉ヒンジ２が取り付けられている。この門扉ヒンジ２には門扉枠３が回動可能に取り付けられている。
【０００７】
門扉ヒンジ２は門柱ヒンジ部材２１と門扉ヒンジ部材２２からなり、ヒンジ芯棒２３を介して回動可能に連結されている。門柱ヒンジ部材２１は長孔２１３が穿設された取付板２１１とこの取付板２１１の端部の上下縁部が折曲されて支持片２１２が設けられている。取付板２１１は門柱外壁の円弧面に沿うような円弧面となされている。
【０００８】
門扉ヒンジ部材２２は無底円筒形のひじつぼ２２２の側面に取付板２２１が設けられている。ひじつぼ２２２は前記門柱ヒンジ部材２１に設けられた上下の支持片２１２の間隔よりも稍短くなされている。取付板２２１には長孔２２３が穿設されている。取付板２２１は門扉枠３外壁の円弧面に沿うような円弧面となされている。
【０００９】
門扉ヒンジ部材２２のひじつぼ２２２は門柱ヒンジ部材２１の上下の支持片２１２間に挿入され、支持片２１２とひじつぼ２２２にヒンジ芯棒２３が挿通され、門扉が門柱１に回動可能に取り付けられる。
【００１０】
図２は本発明門扉ヒンジに於ける門柱と門扉枠との隙間の違いに対する対応例を示す平面図である。図に於いて（イ）は門柱１と門扉枠３の隙間が最小寸法のときを示し、（ロ）は門柱１と門扉枠３の隙間が最大寸法のときを示す。（イ）に於いては、門扉ヒンジ部材２２の取付板２２１と門柱ヒンジ部材２１の取付板２１１は長孔２１３の最も内側の位置で、支柱を貫通するボルト４で締着されている。（ロ）に於いては、門扉ヒンジ部材２２の取付板２２１と門柱ヒンジ部材２１の取付板２１１は長孔２１３の最も外側の位置で、支柱を貫通するボルト４で締着されている。支柱がこの例のように断面円形のとき、門柱ヒンジ部材２１のみを長孔２１３により位置調整すると門柱ヒンジ部材２１の奥行き方向の位置が門扉ヒンジ部材２２の奥行き方向の位置が異なり、門柱１と門扉の通りが出ないという問題が発生するが、門柱ヒンジ部材２１と門扉ヒンジ部材２２を夫々位置を変えることにより、門柱１と門扉の隙間寸法に拘わらず通りを出すことができる。
【００１１】
【発明の効果】
上述の如く、本発明門扉ヒンジは、門柱に取付けられた門柱ヒンジ部材と門扉枠に取付けられた門扉ヒンジ部材とが回動可能に軸着されてなり、門扉ヒンジ部材はひじつぼ側面に取付板が設けられ、この取付板に長孔が設けられ、この長孔を貫通する固定部材により門扉枠に取り付けられており、門柱ヒンジ部材は長孔の設けられた取付板と前記ひじつぼが取付ボルトを軸として回転しうる程度の間隔をおいて上下に相対する支持片が設けられ、門柱ヒンジ部材は取付板の長孔を貫通する固定部材により門柱に取り付けられており、前記支持片間にひじつぼが挿入され、支持片とひじつぼにヒンジ芯棒が挿通されてなるものであり、門扉ヒンジ部材と門柱ヒンジ部材の夫々に設けられた取付板の長孔の位置を調整して固定部材により門柱と門扉枠に取り付ければ、一方だけの調整に較べてほぼ２倍の調整量がえられるし、両方の調整量を同じにすることにより、門柱と門扉枠の前後の位置がずれることがない。
【図面の簡単な説明】
【図１】本発明門扉ヒンジの実施形態の一例を示す（イ）は正面図であり、（ロ）は平面図である。
【図２】本発明門扉ヒンジに於ける門柱と門扉枠との隙間の違いに対する対応例を示す平面図である。
【図３】従来の門扉ヒンジの例を示す正面図である。
【図４】従来の門扉ヒンジの例を示す一部切り欠き平面図である。
【符号の説明】
１    門柱
２    門扉ヒンジ
２１  門柱ヒンジ部材
２１１  取付板
２１２  支持片
２１３  長孔
２２  門扉ヒンジ部材
２２１  取付板
２２２  ひじつぼ
２２３  長孔
２３  ヒンジ芯棒
３    門扉枠
４    ボルト
【図１】
2004308158.tif 000003
【図２】
2004308158.tif 000004
【図３】
2004308158.tif 000005
【図４】
2004308158.tif 000006